(57)【要約】      （修正有）【課題】矢の引き過ぎによる弓の破損を防止し、かつ矢の飛距離を制限する体力と気力が低下した患者のリハビリに適した引き安定装置付き強度可変小弓を提供する。【解決手段】主弓１０１と補助弓１０２は、湾曲させることが可能な棒状の部材である。握り棒１０３は、主弓と補助弓より短い棒状の部材である。固定具１０４ａと１０４ｂは、重ね合わされた主弓と補助弓の中央部付近で、主弓と補助弓と握り棒とを固定する。調節具１０５ａは、固定具１０４ａが配置された握り棒の一方の端部と、主弓の一方の端部１１３ａとの間で主弓と補助弓を固定する。調節具１０５ｂは、固定具１０４ｂが配置された握り棒の他方の端部と、主弓の他方の端部１１３ｂとの間で主弓と補助弓を固定する。引き安定装置２００は、主弓と補助弓と握り棒とのいずれかと弦１０６の間に配置され、矢を引くことができる距離を所定の長さ以下に制限する。【選択図】図３
0003185634.tif 000002
【実用新案登録請求の範囲】
【請求項１】
湾曲させることが可能な棒状の主弓と、
前記主弓に重ね合わされており、湾曲させることが可能な棒状の補助弓と、
前記補助弓と反対側で前記主弓に重ね合わされており、前記主弓および前記補助弓より短い棒状の握り棒と、
重ね合わされた前記主弓と前記補助弓の所定の位置に前記握り棒を固定する固定部材と、
前記握り棒の一方の端部と前記主弓の一方の端部との間の第１の位置で前記主弓と前記補助弓を固定し、当該第１の位置を変更可能な第１の調節具と、
前記握り棒の他方の端部と前記主弓の他方の端部との間の第２の位置で前記主弓と前記補助弓を固定し、当該第２の位置を変更可能な第２の調節具と、
前記主弓の両方の端部にそれぞれ結び付けられて、前記主弓を湾曲させる弦と、
前記主弓と前記補助弓と前記握り棒とのいずれかと前記弦の間に配置され、矢を引くことができる距離を所定の長さ以下に制限する引き安定装置と、
を備えることを特徴とする引き安定装置付き強度可変小弓。
【請求項２】
前記引き安定装置が、前記主弓と前記補助弓と前記握り棒とのいずれかに一端が取り付けられ、他端が前記弦に取り付けられた紐を有することを特徴とする請求項１に記載の引き安定装置付き強度可変小弓。
【請求項３】
前記引き安定装置が、前記紐の略真ん中に固定されており、前記紐を引き下げる割りビシを有することを特徴とする請求項２に記載の引き安定装置付き強度可変小弓。
【請求項４】
前記引き安定装置が、前記割りビシを挟み込む保護部材を有することを特徴とする請求項３に記載の引き安定装置付き強度可変小弓。
【考案の詳細な説明】
【技術分野】
【０００１】
本考案は、体力と気力が低下した患者のリハビリに適した引き安定装置付き強度可変小弓に関する。
【背景技術】
【０００２】
日本弓道は、長い弓と大きな巻きわらを用いる。日本弓道では、射手と的の間の距離が長く、弓を射るために強い力が必要である。このため、性別年齢に関わらず誰でも日本弓道を気軽に楽しむことは難しい。
一方、小規模で簡易な弓道として、宮崎県日南に古くから伝わる四半的弓道が知られている。四半的弓道は、的まで４間半(８ｍ２０ｃｍ)の距離で、４尺５寸(約１ｍ６０ｃｍ)の弓と矢を使い、直径４寸５分(約１３ｃｍ)の的を射って当たりを競う。全ての道具の長さが「４・半」なので四半的と呼ばれている。一般的な競技方法は、座射で例えば３０射を行い、当たりの本数で競う。
【０００３】
本願の考案者は、四半的弓道から基本的な着想を得て日本弓道の長所も取り入れた新しい弓道である小弓道と、その小弓道を行うための弓と矢と的を含む小弓道セットとを考案した（例えば、特許文献１参照）。
小弓道は、日本弓道や四半的弓道に準ずる精神修養要素を持ちながらも、さほど力も必要とせず、簡便に誰でも取り組むことができる。また、射手と的の間の距離も短いため場所をとらず、どこでも行うことができる。座射、椅子射、立射のいずれも可能である。
【０００４】
上述した小弓道により病気のため体力と気力が低下した患者のリハビリを行うことが考えられるが、このような患者のリハビリに使用するためには小弓道用の通常の弓矢よりも更に弱い力で射ることができる弓矢が適切である。しかし、リハビリの効果により体力と気力が回復してくると、弱い力で射ることができる弓矢ではリハビリの効果が望めなくなる。また、病気が重くて立った姿勢で射ることができない患者が存在する。
そこで、本願の考案者は、リハビリによって徐々に回復する体力と気力に応じた力と姿勢で患者が矢を射ることができるリハビリ用強度可変小弓を考案した（例えば、特許文献２参照）。
【先行技術文献】
【特許文献】
【０００５】
【特許文献１】登録実用新案第３１４６９１６号公報
【特許文献２】登録実用新案第３１６１７０４号公報
【考案の概要】
【考案が解決しようとする課題】
【０００６】
特許文献２に記載のリハビリ用強度可変小弓は、調節具の位置を変えることにより、弱い力で矢を射ることができる。しかし、弱い力で矢を射るように調節された強度可変小弓を不注意に強い力で引いた場合には強度可変小弓が破損するおそれがある。
また、狭い場所で小弓道を行う場合には矢の飛距離を制限することが望ましい。
【０００７】
本考案は、矢の引き過ぎによる弓の破損を防止することができ、かつ矢の飛距離を制限することができる引き安定装置付き強度可変小弓を提供することを目的とする。
【課題を解決するための手段】
【０００８】
上記目的を達成するために、本考案の引き安定装置付き強度可変小弓は、
湾曲させることが可能な棒状の主弓と、
前記主弓に重ね合わされており、湾曲させることが可能な棒状の補助弓と、
前記補助弓と反対側で前記主弓に重ね合わされており、前記主弓および前記補助弓より短い棒状の握り棒と、
重ね合わされた前記主弓と前記補助弓の所定の位置に前記握り棒を固定する固定部材と、
前記握り棒の一方の端部と前記主弓の一方の端部との間の第１の位置で前記主弓と前記補助弓を固定し、当該第１の位置を変更可能な第１の調節具と、
前記握り棒の他方の端部と前記主弓の他方の端部との間の第２の位置で前記主弓と前記補助弓を固定し、当該第２の位置を変更可能な第２の調節具と、
前記主弓の両方の端部にそれぞれ結び付けられて、前記主弓を湾曲させる弦と、
前記主弓と前記補助弓と前記握り棒とのいずれかと前記弦の間に配置され、矢を引くことができる距離を所定の長さ以下に制限する引き安定装置と、
を備えることを特徴とする。
【０００９】
好ましくは、本考案の引き安定装置付き強度可変小弓は、
前記引き安定装置が、前記主弓と前記補助弓と前記握り棒とのいずれかに一端が取り付けられ、他端が前記弦に取り付けられた紐を有することを特徴とする。
【００１０】
好ましくは、本考案の引き安定装置付き強度可変小弓は、
前記引き安定装置が、前記紐の略真ん中に固定されており、前記紐を引き下げる割りビシを有することを特徴とする。
【００１１】
好ましくは、本考案の引き安定装置付き強度可変小弓は、
前記引き安定装置が、前記割りビシを挟み込む保護部材を有することを特徴とする。
【考案の効果】
【００１２】
本考案によれば、矢の引き過ぎによる弓の破損を防止することができ、かつ矢の飛距離を制限することができる。
【図面の簡単な説明】
【００１３】
【図１】本考案の実施形態に係る引き安定装置付き強度可変小弓の構成の一例を示す図である。
【図２】主弓と補助弓と握り棒の形状の一例を示す斜視図である。図２（Ａ）主弓の形状の一例を示す斜視図である。図２（Ｂ）補助弓の形状の一例を示す斜視図である。図２（Ｃ）握り棒の形状の一例を示す斜視図である。
【図３】小矢を引き分けた状態の引き安定装置付き強度可変小弓の一例を示す図である。
【図４】引き安定装置付き強度可変小弓に適した小矢の一例の写真である。
【図５】図４の小矢の鏃の拡大写真である。
【図６】図４の小矢の矢羽と矢筈の拡大写真である。
【考案を実施するための形態】
【００１４】
以下、本考案の実施形態に係る引き安定装置付き強度可変小弓について図面を参照しながら説明する。なお、実施形態を説明する全図において、共通の構成要素には同一の符号を付し、繰り返しの説明を省略する。
【００１５】
図１は、本考案の実施形態に係る引き安定装置付き強度可変小弓１００の構成の一例を示す。
引き安定装置付き強度可変小弓１００は、主弓１０１と、補助弓１０２と、握り棒１０３と、固定具１０４ａと、固定具１０４ｂと、調節具１０５ａと、調節具１０５ｂと、弦１０６と、引き安定装置２００とで構成される。
引き安定装置２００は、紐２０１と、割りビシ２０２と、保護部材２０３とで構成される。引き安定装置２００は、主弓１０１と補助弓１０２と握り棒１０３のいずれかと弦１０６の間に配置され、矢を引くことができる距離を所定の長さ以下に制限する。
【００１６】
主弓１０１は、所定の長さの湾曲させることが可能な棒状の部材である。補助弓１０２は、主弓１０１とほぼ同じ長さの湾曲させることが可能な棒状の部材である。主弓１０１と補助弓１０２は、例えば長さ１００ｃｍ、幅１．５ｃｍ、厚さ０．５ｃｍの木材で形成される。ただし、必ずしも主弓１０１と補助弓１０２が同じ長さである必要はない。
握り棒１０３は、主弓１０１と補助弓１０２より短い棒状の部材である。握り棒１０３は、湾曲しにくい構造を有する。握り棒１０３は、例えば長さ２０ｃｍ、幅１．５ｃｍ、厚さ１．５ｃｍの木材で形成される。
【００１７】
固定具１０４ａと固定具１０４ｂは、重ね合わされた主弓１０１と補助弓１０２の中央部付近で、主弓１０１と補助弓１０２と握り棒１０３とを固定する。固定具１０４ａと固定具１０４ｂはそれぞれ握り棒１０３の一方の端部と他方の端部に位置する。固定具１０４ａと固定具１０４ｂは、例えば針金で構成される。
調節具１０５ａは、固定具１０４ａが位置する握り棒１０３の一方の端部と、主弓１０１の一方の端部１１３ａとの間で主弓１０１と補助弓１０２を固定する。調節具１０５ｂは、固定具１０４ｂが位置する握り棒１０３の他方の端部と、主弓１０１の他方の端部１１３ｂとの間で主弓１０１と補助弓１０２を固定する。矢を射るために必要な力を調節するために、調節具１０５ａと調節具１０５ｂが主弓１０１と補助弓１０２をそれぞれ固定する位置は変更することができる。調節具１０５ａと調節具１０５ｂは、例えば針金で構成される。
【００１８】
弦１０６は、紐状の部材である。弦１０６は、主弓１０１の一方の端部１１３ａと他方の端部１１３ｂにそれぞれ結び付けられている。安定装置付き強度可変小弓１００が引き合わされるとき、弦１０６は主弓１０１を湾曲させる。弦１０６は、例えば、和弓の弦と同一のものを用いることができる。
【００１９】
図２は、主弓１０１と補助弓１０２と握り棒１０３の形状の一例を示す。図２では、主弓１０１と補助弓１０２と握り棒１０３の断面の形状はいずれも矩形である。
リハビリ用強度可変小弓１００を組み立てるときには、まず、主弓１０１の一方の主面１０７ａと補助弓１０２の一方の主面１０８を重ね合わせる。次に、主弓１０１の中央部付近で握り棒１０３の一方の主面１０９と主弓１０１の他方の主面１０７ｂを重ね合わせる。そして、握り棒１０３の両端部で固定具１０４ａと固定具１０４ｂを用いて主弓１０１と補助弓１０２と握り棒１０３を固定する。次に、調節具１０５ａと調節具１０５ｂを用いて主弓１０１と補助弓１０２を固定する。
【００２０】
その後、図１に示すように、弦１０６を主弓１０１の一方の端部１１３ａと他方の端部１１３ｂにそれぞれ結び付けて主弓１０１を湾曲させる。このとき、補助弓１０２における調節具１０５ａと調節具１０５ｂに挟まれた部分も同様に湾曲する。しかし、補助弓１０２における調節具１０５ａから一方の端部１１４ａまでの部分は湾曲しない。同様に、補助弓１０２における調節具１０５ｂから他方の端部１１４ｂまでの部分も湾曲しない。
従って、調節具１０５ａと調節具１０５ｂの位置を変えると補助弓１０２における湾曲する部分の長さが変わる。このため、調節具１０５ａと調節具１０５ｂが主弓１０１と補助弓１０２を固定する位置を調節することによって矢を射るために必要な力を調節することができる。
【００２１】
調節できる力の範囲は、例えば１．０Ｋｇ〜３．２Ｋｇである。補助弓１０２に付されたマーク１１０ａとマーク１１０ｂは、調節具１０５ａと調節具１０５ｂがそれぞれマーク１１０ａとマーク１１０ｂの位置にあるとき、例えば、１．０Ｋｇの力で矢を射ることができることを示す。同様に、補助弓１０２に付されたマーク１１１ａとマーク１１１ｂは、調節具１０５ａと調節具１０５ｂがそれぞれマーク１１１ａとマーク１１１ｂの位置にあるとき、例えば、２．１Ｋｇの力で矢を射ることができることを示し、補助弓１０２に付されたマーク１１２ａとマーク１１２ｂは、調節具１０５ａと調節具１０５ｂがそれぞれマーク１１２ａとマーク１１２ｂの位置にあるとき、例えば、３．２Ｋｇの力で矢を射ることができることを示す。
なお、弦１０６を張って湾曲させた状態での主弓１０１の長さは、例えば９０ｃｍ程度である。
【００２２】
図３は、小矢３００を引き分けた状態の引き安定装置付き強度可変小弓１００の一例を示す。
紐２０１として、例えば、ナイロン製の釣り糸８号（透明）を使用することができる。紐２０１は、握り棒１０３に一端が取り付けられ、他端が弦１０６に取り付けられる。なお、紐２０１は、握り棒１０３ではなく、主弓１０１または補助弓１０２に取り付けてもよい。
矢筈を受ける弦１０６の中央部と紐２０１の他端との間隔は５ｍｍ程度である。紐２０１の長さは、例えば、３５ｃｍ〜４０ｃｍである。小矢３００を引くことができる距離は、紐２０１の長さ以下に制限される。なお、小矢３００は、矢の一例である。
割りビシ２０２は、紐２０１の略真ん中に固定される。割りビシ２０２は、例えば、釣り竿用のおもりで形成することができる。割りビシ２０２の重さは、例えば１ｇ程度である。割りビシ２０２は、図１に示すように、紐２０１を下方に引き下げる。このため、小矢３００を引く際に、割りビシ２０２により紐２０１が小矢３００に絡んで小矢３００を引く邪魔になることを防ぐことができる。
保護部材２０３は、例えば、幅１ｃｍ、長さ２ｃｍのビニールテープを割りビシ２０２の両側から張り合わせ、割りビシ２０２を挟み込んだものである。装飾のために、ビニールテープの上からデコレーションテープを５回程度巻きつけてもよい。保護部材２０３により、小矢３００を放したときに割りビシ２０２が手に当たって怪我することを防ぐことができる。
【００２３】
図４〜図６は、引き安定装置付き強度可変小弓１００に適した小矢３００の一例の写真である。図４は小矢３００全体の写真であり、図５は矢尻の拡大写真であり、図６は矢羽と矢筈の拡大写真である。
小矢３００は、例えば長さ４０〜５０ｃｍ、重さ５〜６ｇである。引き安定装置付き強度可変小弓１００は、和弓の１／１０程度の力でしか小矢３００を射ることができない。このため、小矢３００は、軽くなければならず、例えばアルミ管を加工して製造される。和弓の矢の重さ２０ｇ〜２５ｇに比べ、引き安定装置付き強度可変小弓１００に適した小矢３００は非常に軽い。この小矢３００を用いると、引き安定装置付き強度可変小弓１００により２ｍ〜２０ｍ程度の射程距離を得ることができ、引き安定装置付き強度可変小弓１００でも射の満足感、スリル、緊張感を感じることができる。
この小矢３００の矢羽には、目で見て楽しさを感じるようにカラフルな色が付されている。
【００２４】
なお、上述した実施形態では、１本の補助弓１０２を用いて引き安定装置付き強度可変小弓１００を構成したが、補助弓１０２を２本以上用いて引き安定装置付き強度可変小弓１００を構成してもよい。
また、上述した実施形態ではマーク１１０ａ、マーク１１０ｂ、マーク１１１ａ、マーク１１１ｂ、マーク１１２ａ、マーク１１２ｂが補助弓１０２に付されている例を示したが、これらのマークは主弓１１１に付されていてもよい。また、これらのマークは主弓１１１と補助弓１０２の両方に付されていてもよい。更に、これらのマークの数に制限はなく、主弓１１１および／または補助弓１０２に必要な数のマークを付してよい。
【００２５】
また、上述した実施形態では、握り棒１０３を主弓１０１と補助弓１０２に固定する部品として固定具１０４ａと固定具１０４ｂを用い、これらが針金で構成される例を示したが、これらを例えば繊維強化プラスチック等他の素材を用いて構成してもよい。また、固定具１０４ａと固定具１０４ｂの代わりにテープのような粘着性を有する素材を用い、主弓１０１と補助弓１０２と握り棒１０３とをその素材で巻くことにより握り棒１０３を固定してもよい。なお、この粘着性を有する素材は伸縮性を有し、この素材が巻きつけられている部分でも主弓１０１と補助弓１０２を湾曲させることができることが望ましい。
また、上述した実施形態では、調節具１０５ａと調節具１０５ｂがそれぞれ針金で構成される例を示したが、これらを例えば繊維強化プラスチック等他の素材を用いて構成してもよい。
【００２６】
また、上述した実施形態では、主弓１０１と補助弓１０２と握り棒１０３の断面の形状は矩形であるとしたが、主弓１０１と補助弓１０２と握り棒１０３の断面の形状は、楕円形や円形等の他の形状であってもよい。ただし、主弓１０１の断面の形状は、補助弓１０２を重ね合わせることができ、補助弓１０２が重ねられた側と反対側に握り棒１０３を重ね合わせることができる形状であることが必要である。補助弓１０２の断面の形状は、主弓１０１を重ね合わせることができる形状であることが必要である。握り棒１０３の断面の形状は、主弓１０１を重ね合わせることができる形状であることが必要である。
【００２７】
本考案によれば、引き安定装置２００により、小矢３００を引くことができる距離が制限される。このため、小矢３００の引き過ぎによる弓の破損を防止することができる。
また、引き安定装置２００により小矢３００の飛距離が制限されるため、狭い場所で小弓道を安全に行うことができる。
子供が引き安定装置付き強度可変小弓１００を用いる場合には、子供の筋力や腕の長さに応じて紐２０１を短くすることにより、小矢３００の飛距離を安定させることができる。
【００２８】
以上、本考案の実施形態について説明したが、設計上の都合やその他の要因によって必要となる様々な修正や組み合わせは、請求項に記載されている考案や考案の実施形態に記載されている具体例に対応する考案の範囲に含まれると理解されるべきである。
【符号の説明】
【００２９】
１００…リハビリ用強度可変小弓、１０１…主弓、１０２…補助弓、１０３…握り棒、１０４ａ、１０４ｂ…固定具、１０５ａ、１０５ｂ…調節具、１０６…弦、１０７ａ…主弓の一方の主面、１０７ｂ…主弓の他方の主面、１０８…補助弓の一方の主面、１０９…握り棒の一方の主面、１１０ａ、１１０ｂ、１１１ａ、１１１ｂ、１１２ａ、１１２ｂ…マーク、１１３ａ…主弓の一方の端部、１１３ｂ…主弓の他方の端部、１１４ａ…補助弓の一方の端部、１１４ｂ…補助弓の他方の端部、２００…引き安定装置、２０１…紐、２０２…割りビシ、２０３…保護部材、３００…小矢
【図１】
0003185634.tif 000003
【図２】
0003185634.tif 000004
【図３】
0003185634.tif 000005
【図４】
0003185634.tif 000006
【図５】
0003185634.tif 000007
【図６】
0003185634.tif 000008